(57)【特許請求の範囲】
【請求項１】
被写体像を撮像して映像信号を出力する撮像手段と、
前記撮像手段により撮像された映像を表示する表示手段と、
複数の操作方向に可動自在に設けられた操作部材と、
前記操作部材の操作方向に応じて選択的に動作し、各々異なる機能を有する複数のスイッチと、
機器の動作モードを切り替えるモード切替手段と、
前記操作部材の各操作方向に対して各々独立した機能を割り当てるとともに、前記モード切替手段により切り替えられる前記動作モードに応じて前記操作部材の各操作方向に対して割り当てる機能を変更し、前記操作部材の各操作方向に割り当てられた機能の案内表示を前記表示手段に表示させる制御手段と、
を備え、
前記撮像手段、前記表示手段及び前記操作部材が同じ筐体に組み込まれ、操作者が前記筐体を保持して前記被写体像の撮像を行う場合に、前記筐体を保持している状態で、保持している手の親指で前記操作部材を操作できる前記筐体上の位置に、前記操作部材を配置したことを特徴とする電子機器。
【請求項２】
前記撮像手段により撮像された映像を記録媒体に記録するとともに前記記録媒体に記録された映像を再生する記録再生手段を有し、
前記表示手段は、前記撮像手段により撮像された映像又は前記記録再生手段により再生された映像を表示することを特徴とする請求項１に記載の電子機器。
【請求項３】
前記モード切替手段は、前記機器の動作モードを前記撮像手段により前記被写体像を撮像するとともに撮影した映像を前記記録再生手段により記録媒体に記録する撮像モードと、前記記録再生手段により前記記録媒体に記録された映像を再生する再生モードのいずれかに切り替えることを特徴とする請求項２に記載の電子機器。
【請求項４】
前記制御手段は、前記撮影モードでは、前記操作部材の各操作方向に対して撮影に必要な機能を割り当てるとともに、前記各操作方向に対して割り当てられた機能の案内表示を前記操作方向に対応した配置で前記撮像手段により撮像された映像とともに前記表示手段に表示させ、前記再生モードでは、前記各操作方向に対して再生に必要な機能を割り当てるとともに、前記各操作方向に対して割り当てられた機能の案内表示を前記操作方向に対応した配置で前記記録再生手段により前記記録媒体から再生された映像とともに前記表示手段に表示させることを特徴とする請求項３に記載の電子機器。
【請求項５】
前記制御手段は、表示画面内における周辺領域に前記機能の案内表示を前記表示手段に表示させることを特徴とする請求項１乃至４のいずれか１項に記載の電子機器。
【請求項６】
前記制御手段は、前記操作部材の各操作方向に対して割り当てられた機能の案内表示を前記操作方向に対応した配置で前記表示手段に表示させることを特徴とする請求項１乃至５のいずれか１項に記載の電子機器。
【請求項７】
前記制御手段は、さらに、前記表示手段が表示する内容を前記モード切替手段により切り替えられる機器の動作モードに応じて変更することを特徴とする請求項１乃至６のいずれか１項に記載の電子機器。
【請求項８】
前記操作部材の近傍に他の操作部材を配置したことを特徴とする請求項１乃至７のいずれか１項に記載の電子機器。
【請求項９】
前記他の操作部材は、撮像スタート・ストップスイッチあるいは、モード切替スイッチを含むことを特徴とする請求項８に記載の電子機器。
【請求項１０】
前記他の操作部材は、前記筐体を保持している手の親指で操作できる位置に配置されることを特徴とする請求項８又は９に記載の電子機器。
【請求項１１】
被写体像を撮像して映像信号を出力する撮像手段と、
前記撮像手段により撮像された映像を記録媒体に記録するとともに前記記録媒体に記録された映像を再生する記録再生手段と、
前記撮像手段により撮像された映像又は前記記録再生手段により再生された映像を表示する表示手段と、
複数の操作方向に可動自在に設けられた操作部材と、
前記操作部材の操作方向に応じて選択的に動作し、各々異なる機能を有する複数のスイッチと、
機器の動作モードを前記撮像手段により前記被写体像を撮像するとともに撮影した映像を前記記録再生手段により記録媒体に記録する撮像モードと、前記記録再生手段により前記記録媒体に記録された映像を再生する再生モードのいずれかに切り替えるモード切替手段と、
前記撮影モードでは、前記操作部材の各操作方向に対して撮影に必要な機能を割り当てるとともに、前記各操作方向に対して割り当てられた機能の案内表示を前記操作方向に対応した配置で前記撮像手段により撮像された映像とともに前記表示手段に表示させ、前記再生モードでは、前記各操作方向に対して再生に必要な機能を割り当てるとともに、前記各操作方向に対して割り当てられた機能の案内表示を前記操作方向に対応した配置で前記記録再生手段により前記記録媒体から再生された映像とともに前記表示手段に表示させる制御手段と、
を備え、
前記制御手段は、前記モード切替手段により動作モードが切り替えられた場合に、前記操作部材の操作に関わらず前記機能の案内表示を前記撮像手段により撮像された映像又は前記記録再生手段により再生された映像とともに前記表示手段に表示させることを特徴とする電子機器。
【発明の詳細な説明】
【０００１】
【発明の属する技術分野】
本発明は、ビデオカメラ等の電子機器に関するものである。
【０００２】
【従来の技術】
電子機器の操作装置として多く用いられているジョイスティックは、複数の機能の操作を一つの操作部材に集約できるので、機器の操作部材を簡潔にまとめることができ機器の小型化に貢献できる。また、一つの操作部材に二つ以上のスイッチを割り当てることができるため、操作者はジョイスティックの操作方向を選択することにより、二つ以上の操作をキーから手を離すことなく行うことができ、これまでのスイッチが一対一で割り当てられていた操作部材に比べて操作部材を手探りで探したり、目で見て位置を確認しなければならないといった使用上の不都合を無くすことができる。
【０００３】
【発明が解決しようとする課題】
しかしながら、ジョイスティックは一つの操作部材に複数の選択機能が割り当てられているため、それらの機能がそれぞれ全く独立したものである場合、ブラインドタッチで操作を行うには、それぞれの操作方向に何の機能が割り当てられているかを憶えている必要がある。例えば、ビデオカメラにジョイスティックをカメラ操作やレコーダ操作用の操作装置として取り付けた場合は、ＥＶＦ（電子ビューファインダ）に表示される映像を見て操作した結果を確認することになるため、通常、操作者はＥＶＦを覗きながらジョイスティックを操作することになり、操作方向とその機能との対応を憶えていないと操作性が悪い。特に撮影中に操作を誤ってしまうと撮影者が望んだ通りの映像にならず、場合によっては撮影した内容を損なってしまうこともある。また、ジョイスティックを含めて各種の操作部材が機器本体の各所に散在しているのは、使い勝手や操作の分かり易さの面から不利であった。
【０００４】
そこで本発明は、操作者が操作部材を直感的に操作し、所望の機能を選択して実行させることが可能となる電子機器を提供することを目的としている。
【０００５】
また、本発明は、操作者が操作部材を操作する前に、動作モード毎に操作部材の各操作方向に割り当てられる機能を映像とともに確認することが可能な電子機器を提供することを目的とする。
【０００６】
【課題を解決するための手段】
斯かる目的を達成するために、本発明に係る電子機器の第１の態様は、被写体像を撮像して映像信号を出力する撮像手段と、前記撮像手段により撮像された映像を表示する表示手段と、複数の操作方向に可動自在に設けられた操作部材と、前記操作部材の操作方向に応じて選択的に動作し、各々異なる機能を有する複数のスイッチと、機器の動作モードを切り替えるモード切替手段と、前記操作部材の各操作方向に対して各々独立した機能を割り当てるとともに、前記モード切替手段により切り替えられる前記動作モードに応じて前記操作部材の各操作方向に対して割り当てる機能を変更し、前記操作部材の各操作方向に割り当てられた機能の案内表示を前記表示手段に表示させる制御手段と、を備え、前記撮像手段、前記表示手段及び前記操作部材が同じ筐体に組み込まれ、操作者が前記筐体を保持して前記被写体像の撮像を行う場合に、前記筐体を保持している状態で、保持している手の親指で前記操作部材を操作できる前記筐体上の位置に、前記操作部材を配置したことを特徴とする。
【０００７】
また、本発明に係る電子機器の第２の態様は、被写体像を撮像して映像信号を出力する撮像手段と、前記撮像手段により撮像された映像を記録媒体に記録するとともに前記記録媒体に記録された映像を再生する記録再生手段と、前記撮像手段により撮像された映像又は前記記録再生手段により再生された映像を表示する表示手段と、複数の操作方向に可動自在に設けられた操作部材と、前記操作部材の操作方向に応じて選択的に動作し、各々異なる機能を有する複数のスイッチと、機器の動作モードを前記撮像手段により前記被写体像を撮像するとともに撮影した映像を前記記録再生手段により記録媒体に記録する撮像モードと、前記記録再生手段により前記記録媒体に記録された映像を再生する再生モードのいずれかに切り替えるモード切替手段と、前記撮影モードでは、前記操作部材の各操作方向に対して撮影に必要な機能を割り当てるとともに、前記各操作方向に対して割り当てられた機能の案内表示を前記操作方向に対応した配置で前記撮像手段により撮像された映像とともに前記表示手段に表示させ、前記再生モードでは、前記各操作方向に対して再生に必要な機能を割り当てるとともに、前記各操作方向に対して割り当てられた機能の案内表示を前記操作方向に対応した配置で前記記録再生手段により前記記録媒体から再生された映像とともに前記表示手段に表示させる制御手段と、を備え、前記制御手段は、前記モード切替手段により動作モードが切り替えられた場合に、前記操作部材の操作に関わらず前記機能の案内表示を前記撮像手段により撮像された映像又は前記記録再生手段により再生された映像とともに前記表示手段に表示させることを特徴とする。
【０００８】
以上の構成としたことにより、本発明は、動作モード毎に操作部材の各操作方向に対して割り当てられる機能の案内表示を表示手段で表示させることが可能となる。
【０００９】
【発明の実施の形態】
図３はジョイスティック１０の実施の形態を示すもので、同図（Ａ）は分解斜視図、（Ｂ）は側面断面図である。
図３において、操作レバー１には、スイッチ押圧用の押し板２が設けられると共に、下端には球体から成る支持部材３が設けられている。また、基台４には孔５が設けられ、この孔５に上記支持部材３が回動可能に嵌合されている。これによって、操作レバー１はどの方向にも一定角度で傾斜可能に保持されている。また、基台４には４個のタクトスイッチ６を配したドーナツ状のスイッチ板７が載置され、その中央を操作レバー１が貫通している。この操作レバー１の上部は、ビデオカメラ等の機器のケース８に設けられた孔９から外部に突出しており、操作者により操作が可能に成されている。
【００１０】
上記構成によれば、操作レバー１は支持部材３を支点として一定の角度範囲内で３６０゜方向に傾けることができる。操作者が操作レバー１をある方向に傾けることにより、押し板２も傾けられ、その方向に設けられているタクトスイッチ６の１つが押されてスイッチＯＮとなる。従って、操作レバー１を傾ける方向（操作方向）を選択することによって４個のタクトスイッチ６の１つを選択的にＯＮと成すことができる。
尚、４個のタクトスイッチ６にはそれぞれ異るスイッチ機能が割当てられているものとする。
【００１１】
図１は上記ジョイスティック１０を用いたビデオカメラ１００の第１の実施の形態による構成を示すブロック図である。
図１において、被写体像は撮像部１１に入射され、そのズームレンズ１２、フォーカスレンズ１３を通ってＣＣＤ等の撮像素子１４で光電変換されて映像信号となる。この映像信号はカメラ信号処理部１５で処理され、所定の形式の映像信号に変換された後、記録再生装置１６に送られ、その信号記録再生部１６ａにおいて、磁気チーブ等に記録されると共に、合成回路１７にも送られる。
【００１２】
マイクロコンピュータ１８は、各種制御信号を出力し、サーボ機構２１ａ、２１ｂを介してズームレンズ１２、フォーカスレンズ１３を制御すると共に、カメラ信号処理回路１５、記録再生装置１６及びキャラクタジェネレータ２０を制御する。また、カメラ操作スイッチ、レコーダ操作スイッチ、モード切替スイッチ等から成る手動スイッチ群１９及びジョイスティック１０の操作に基づく出力信号を受信し、それぞれに応じた制御を行う。また、マイクロコンピュータ１８はビデオカメラ１００のモードに応じてキャラクタジェネレータ２０を制御し、キャラクタジェネレータ２０はキャラクタ信号を合成回路１７に送る。合成回路１７はカメラ信号処理回路１５からの映像信号とキャラクタ信号とを合成した映像信号をＥＶＦ表示部２２に送り表示させる。
【００１３】
図２はＥＶＦ表示部２２の表示例を示す。
ビデオカメラ１００が撮影モード時には、表示画面内には図２（Ａ）のように、上下左右にそれぞれ前記キャラクタジェネレータ２０が発生したＴＩＴＬＥ、Ｃ／ＲＥＳＥＴ、ＦＡＤＥ、ＤＡＴＥの各文字２３〜２６が案内表示されている。これらの文字の相対的な表示位置は、図２（Ｄ）のジョイスティック１０の操作方向であるＸ′Ｙ′方向に一致している。
【００１４】
本実施の形態では、ジョイスティック１０の操作方向の内、図２（Ｄ）のＸ′軸を図４に示すようにビデオカメラ１０の天地方向と一致させている。このため操作者は、ＥＶＦ表示部２２の画面の上方に表示されている機能と、ジョイスティック１０のビデオカメラ１００に対して上方向の操作とが対応していることを憶えておくことによって、表示された他の機能についても、一目でジョイスティック１０の操作方向との対応が分かることになる。尚、図４において、１９ａはモード切替スイッチである。
【００１５】
モード切替スイッチ１９ａを操作してＶＴＲ操作モードに移行した場合は、マイクロコンピュータ１８はキャラクタジェネレータ２０にＶＴＲ操作モードである旨の制御信号を送り、キャラクタジェネレータ２０は図２（Ｂ）のように、ＶＴＲ操作モードに対応したＰＬＡＹ、ＳＴＯＰ、ＲＥＷ、ＦＦの各文字２７〜３０を図２（Ｄ）のジョイスティック１０の操作方向に対応した配置で案内表示する。
【００１６】
尚、各案内表示の位置は、相対的な位置関係が各操作方向の位置関係と一致していればよく、例えば図２（Ｃ）のような表示でも有効である。また、操作方向とその方向に操作したときの機能との関係が分かればよいので、図２（Ｅ）のような表示方法も考えられる。
【００１７】
図５はビデオカメラ１００の第２の実施の形態を示す外観図である。ここではＥＶＦ表示部を取り外した状態を示している。
図５において、ジョイスティック１０は撮影スタート・ストップスイッチ１９ｂの左側に設けてあり、前記モード切替スイッチ１９ａもジョイスティック１０のすぐ脇に配置してある。
【００１８】
ジョイスティック１０は、ビデオカメラ１００が撮影モードの時は、第１の実施の形態の場合と同じくＴＩＴＬＥ２３、Ｃ／ＲＥＳＥＴ２４、ＦＡＤＥ２５、ＤＡＴＥ２６の各機能のスイッチが、図２（Ｄ）のようにＸ′Ｙ′両操作方向にそれぞれ割り当てられている。また、前記ジョイスティック１０の各操作方向に割り当てられた機能の各案内表示が、ＥＶＦ表示部２２（図５では省略）にそれぞれ操作方向の相対的な位置関係と一致した配置で表示される。
図２のジョイスティック１０のＹ′の軸の方向は、ＥＶＦ表示部２２の横方向（Ｙ軸）に一致しており、各案内表示の位置を見ることにより、ジョイスティック１０の各操作方向に割り当てられた機能を知ることができる。
【００１９】
このような各操作部材に配置によれば、例えば図６に示すように、右手でビデオカメラ１００を保持しながら撮影を行う場合、ジョイスティック１０、撮影スタート・ストップスイッチ１９ｂ、モード切替スイッチ１９ａが全て右手親指の届く位置にあり、右手親指の位置を動かすだけで、それぞれの操作部材を操作することができる。また、ズームレバー１９ｃは、右手人差し指で操作できる位置にあり、従って、撮影時に使用する操作部材の殆どが右手のみで操作できることになる。
【００２０】
尚、本実施の形態におけるジョイスティック１０の構造、ビデオカメラ１００のシステム構成、ジョイスティック１０の機能を案内表示するシステムは第１の実施の形態と同じである。
【００２１】
【発明の効果】
本発明によれば、動作モード毎に操作部材の各操作方向に対して割り当てられる機能の案内表示が表示手段で表示されるため、操作者は、表示された案内表示を確認しながら操作部材を直感的に操作し、所望の機能を選択して実行させることが可能となる。
さらに、本発明は、筐体を保持した状態で撮影を行いつつ、筐体を保持している手の親指で前記操作部材を操作することが出来るため、機器の操作性が向上する。
【００２２】
また、本発明によれば、動作モード毎に操作部材の各操作方向に対して割り当てられる機能の案内表示が撮像された映像又は記録媒体から再生された映像とともに操作部材の操作に関わらず表示手段上で表示されるため、操作者は、操作部材を操作する前に動作モード毎に割り当てられる機能を映像とともに確認することができる。
【図面の簡単な説明】
【図１】本発明を適用したビデオカメラの第１の実施の形態を示すブロック図である。
【図２】本発明による表示例を示す構成図である。
【図３】本発明を適用し得るジョイスティックの実施の形態を示す（Ａ）は分解斜視図、（Ｂ）は側面断面図である。
【図４】第１の実施の形態によるビデオカメラの外観図である。
【図５】第２の実施の形態によるビデオカメラの外観図である。
【図６】第２の実施の形態によるビデオカメラを手で保持した状態を示す構成図である。
【符号の説明】
１  操作レバー
６  タクトスイッチ
１０  ジョイスティック
１８  マイクロコンピュータ
１９  手動スイッチ群
１９ａ  モード切替スイッチ
１９ｂ  撮影スタート・ストップスイッチ
１９ｃ  ズームレバー
２０  キャラクタジェネレータ
２２  ＥＶＦ表示部
２３  ＴＩＴＬＥ（タイトル表示）機能の案内表示の文字
２４  Ｃ／ＲＥＳＥＴ（カウンターリセット）機能の案内表示の文字
２５  ＦＡＤＥ（フェード）機能の案内表示の文字
２６  ＤＡＴＥ（日付表示）機能の案内表示の文字
２７  ＰＬＡＹ（再生）機能の案内表示の文字
２８  ＳＴＯＰ（停止）機能の案内表示の文字
２９  ＲＥＷ（巻き戻し）機能の案内表示の文字
３０  ＦＦ（早送り）機能の案内表示の文字
【図１】
0003631226.tif 000002
【図２】
0003631226.tif 000003
【図３】
0003631226.tif 000004
【図４】
0003631226.tif 000005
【図５】
0003631226.tif 000006
【図６】
0003631226.tif 000007